(57)【要約】      （修正有）【課題】ユーザーが検出結果を監視し続けなくても物体の傾きが変化したことを感知しやすい傾斜計を提供する。【解決手段】物体の傾きが変化したことを感知する傾斜計１０であって、基準の傾斜角度を設定するためのボタンスイッチ１５と、基準の傾斜角度からの傾斜角度を検出する検出器１１及び制御部１３と、検出器１１及び制御部１３が検出した傾斜角度が所定の角度を超えた場合に、傾斜角度が所定の角度を超えたことをユーザーに報知する報知手段とが設けられている。報知手段は、サーバ２０を介した端末装置３０によるメール受信や、ボタンスイッチ１５に設けられたＬＥＤ１６の点灯による。【選択図】図１
0003218336.tif 000002
【実用新案登録請求の範囲】
【請求項１】
基準の状態を設定するためのスイッチと、
前記基準の状態からの傾斜角度を検出する検出手段と、
前記検出手段が検出した傾斜角度が所定の角度を超えた場合に、傾斜角度が所定の角度を超えたことをユーザーに報知する報知手段とを有することを特徴とする傾斜計。
【請求項２】
前記報知手段が、外部機器へのデータ送信及び発光ダイオードの点灯の少なくともいずれか一方によりユーザーに報知することを特徴とする請求項１に記載の傾斜計。
【請求項３】
前記報知手段が、前記発光ダイオードの点灯によりユーザーに報知するものであり、
前記発光ダイオードが前記スイッチに設けられていることを特徴とする請求項２に記載の傾斜計。
【考案の詳細な説明】
【技術分野】
【０００１】
本考案は、基準の角度からの傾斜を検出する傾斜計に関する。
【背景技術】
【０００２】
物体の傾きを検出する傾斜計として、例えば特許文献１の第１図に示すような、傾斜角度の表示を０とするリセットスイッチ、電源スイッチ及び傾斜角度を表示する表示器を有するものがある。
【先行技術文献】
【特許文献】
【０００３】
【特許文献１】特開平１−１３６０１０号公報
【考案の概要】
【考案が解決しようとする課題】
【０００４】
ユーザーにとっては、物体の傾きが変化したことをすぐに認識することが必要となる場合がある。しかしながら、特許文献１の傾斜計は、単に、検出した傾斜角度をそのまま表示するのみである。したがって、物体の傾きが変化したか否かを認識するためには、常に表示を監視する必要がある。
【０００５】
本考案の目的は、ユーザーが検出結果を監視し続けなくても物体の傾きが変化したことを認識しやすい傾斜計を提供することにある。
【課題を解決するための手段】
【０００６】
本考案は、基準の状態を設定するためのスイッチと、前記基準の状態からの傾斜角度を検出する検出手段と、前記検出手段が検出した傾斜角度が所定の角度を超えた場合に、傾斜角度が所定の角度を超えたことをユーザーに報知する報知手段とを有することを特徴とする傾斜計である。
【０００７】
本考案の傾斜計によると、スイッチの操作によって基準の状態を設定する。そして、基準の状態からの傾斜角度を検出する検出手段によって検出した傾斜角度が所定の角度を超えた場合に、傾斜角度が所定の角度を超えたことをユーザーに報知する。よって、所定の角度を超えた旨が自動的にユーザーに報知されるので、ユーザーが傾斜計を監視し続けて、傾斜角度を確認しなくとも、物体の傾きが所定の角度を超えたことを容易に認識しやすい。
【０００８】
また、本考案は、前記報知手段が、外部機器へのデータ送信及び発光ダイオードの点灯の少なくともいずれか一方によりユーザーに報知することが好ましい。これによると、外部機器へのデータ送信の場合、ユーザーが物体から離れていても物体の傾きが変化したことを認識しやすい。また、発光ダイオードの場合、長期間使用可能であり、かつ消費電力が少ない。このため、傾斜計による長期間の監視が想定される建築物等の物体への使用に適している。なお、データ送信は、ユーザーが保有するコンピュータ等に対して実行される。
【０００９】
また、本考案は、前記報知手段が、前記発光ダイオードの点灯によりユーザーに報知するものであり、前記発光ダイオードが前記スイッチに設けられていることが好ましい。これによると、発光ダイオードがスイッチに設けられているため、ユーザーにとって発光ダイオードの点灯位置が分かりやすい。
【図面の簡単な説明】
【００１０】
【図１】本考案の一実施形態に係る傾斜計を含む傾斜検出システムの概略構成を示すブロック図である。
【図２】図１の傾斜計の概略図である。
【考案を実施するための形態】
【００１１】
以下、本考案の一実施形態に係る傾斜計１０を含む傾斜検出システム１について、図１〜２を参照しつつ説明する。傾斜検出システム１は、傾斜計１０、サーバ２０、及び端末装置３０を備えている。傾斜計１０、サーバ２０、及び端末装置３０は、通信ネットワークＮを通じて互いに通信可能である。通信ネットワークＮは、無線ＬＡＮ（Ｌｏｃａｌ  Ａｒｅａ  Ｎｅｔｗｏｒｋ）やＬＰＷＡ（Ｌｏｗ  Ｐｏｗｅｒ  Ｗｉｄｅ  Ａｒｅａ）、及びインターネットで構成されている。例えば、傾斜計１０は、ＬＰＷＡを通じ、インターネットを介してサーバ２０にデータ送信が可能である。なお、ＬＰＷＡは、比較的少ない消費電力で広い通信領域を確保できる無線通信方式の一つである。以下の構成において、傾斜計１０、サーバ２０、及び端末装置３０の間でデータ送信がなされる場合は、通信ネットワークＮを介して実行される。
【００１２】
傾斜計１０は、筐体１００、検出器１１、ディップスイッチ１２、制御部１３、通信部１４、ボタンスイッチ１５、ＬＥＤ（Ｌｉｇｈｔ  Ｅｍｉｔｔｉｎｇ  Ｄｉｏｄｅ、発光ダイオード）１６、及び電池ホルダ１７を備えている。筐体１００は、直方体の概略形状である。検出器１１、ディップスイッチ１２、制御部１３、通信部１４等の構成要素は、筐体１００内に設けられている。
【００１３】
筐体１００の側面には、円盤状のボタンスイッチ１５が設けられている。ボタンスイッチ１５の中心には、ＬＥＤ１６が設けられている。ボタンスイッチ１５が操作されると、ボタンスイッチ１５が操作されたことを示す信号が制御部１３に送信される。筐体１００の別の側面には、電池ホルダ１７が設けられている。電池ホルダ１７内の電池が傾斜計１０の各部に電力を供給する。また、電池ホルダ１７内には、ディップスイッチ１２が設けられている。
【００１４】
検出器１１は、３軸加速度センサにより、鉛直方向を基準とした検出器１１の傾斜角度を検出する。検出器１１の検出結果は制御部１３に出力される。ディップスイッチ１２は、４つのスイッチを有している。４つのスイッチのそれぞれは２つの状態を選択的に取る。これら４つのスイッチの状態は角度の閾値を示している。なお、スイッチは３つ以下でも５つ以上でもよい。
【００１５】
制御部１３は、マイクロプロセッサを用いた組み込みシステムによって構築されている。制御部１３は、検出器１１による検出結果を定期的に受け取る。制御部１３は、基準の状態における傾斜角度（基準の傾斜角度）を保持しており、検出器１１で検出された傾斜角度と基準の傾斜角度との差を、通信部１４を介してサーバ２０に送信する。また、制御部１３は、検出器１１で検出された傾斜角度と基準の傾斜角度との差が、ディップスイッチ１２で設定された閾値を超えた場合には、その旨を、通信部１４を介してサーバ２０に送信すると共に、ＬＥＤ１６を点灯させる。ＬＥＤ１６の点灯により、ユーザーは、傾斜角度が閾値を超えたことを認識できる。なお、制御部１３は、ボタンスイッチ１５が押された際に、現在の傾斜計１０の状態を傾斜角度に関する基準の状態に更新する。具体的には、制御部１３は、ボタンスイッチ１５が操作されたタイミングにおける検出器１１による検出結果が示す傾斜角度を基準の傾斜角度に設定しなおす。なお、本考案でいう検出手段とは、検出器１１及び制御部１３を意味する。
【００１６】
サーバ２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等のハードウェアと、ＲＯＭ、ＲＡＭ等の記憶部に記憶されたプログラムデータ等からなるソフトウェアとを備えている。これらのハードウェアとソフトウェアとが協働することにより、以下の機能が実現されている。
【００１７】
サーバ２０は、傾斜計１０から送信された検出結果を保持する。端末装置３０から問い合わせがあれば、保持している検出結果を端末装置３０に送信する。また、検出結果が設定した閾値を超えた旨が傾斜計１０から送信されると、その旨を示すメールを端末装置３０に送信する。
【００１８】
端末装置３０は、ＣＰＵ、ＲＯＭ、ＲＡＭ、ハードディスク、ディスプレイ等のハードウェアと、ＲＯＭ、ＲＡＭ等の記憶部に記憶されたプログラムデータ等からなるソフトウェアとを備えている。これらのハードウェアとソフトウェアとが協働することにより、後述する機能が実現されている。端末装置３０には、デスクトップ型あるいはノート型のパーソナルコンピュータ、タブレット、スマートフォン、又は携帯電話等が用いられてよい。端末装置３０には、受信したメールをディスプレイに表示させるメールブラウザ、ホームページをディスプレイに表示させるＷｅｂ（Ｗｏｒｌｄ  Ｗｉｄｅ  Ｗｅｂ）ブラウザ等のアプリケーションが搭載されている。
【００１９】
端末装置３０は、Ｗｅｂブラウザの機能によりサーバ２０に問い合わせを行い、傾斜角度の検出結果をサーバ２０から受け取ることができる。検出結果は、Ｗｅｂブラウザの機能により端末装置３０のディスプレイの画面に表示される。なお、傾斜検出システム１に係る専用のアプリケーションが端末装置３０にインストールされており、その専用のアプリケーションの機能によって、サーバ２０から受け取った検出結果がディスプレイの画面に表示されてもよい。また、端末装置３０は、検出結果が閾値を超えた旨のメールをサーバ２０から受け取ると、メールブラウザの機能によってその旨をユーザーに通知する。ユーザーは、その通知に従ってメールを確認することで、傾斜角度が閾値を超えたことを認識できる。
【００２０】
次に、上述の実施形態に係る傾斜検出システム１の使用方法について説明する。まず、傾きが変化したことを監視したい物体（以下、対象物体という。）に傾斜計１０を取り付ける。ディップスイッチ１２によって、角度の閾値を例えば５°に設定する。次に、ボタンスイッチ１５を押して、現在の傾斜計１０の状態を傾斜角度に関する基準の状態に設定する。基準の状態からの傾斜計１０の傾斜角度が、ディップスイッチ１２で設定された閾値を超えた場合には、ＬＥＤ１６が点灯すると共に、傾斜計１０からサーバ２０を介してその旨が端末装置３０にメールで通知される。ユーザーは、ＬＥＤ１６の点灯及びメールにより、傾斜角度が閾値を超えたことを認識できる。
【００２１】
また、基準の状態からの傾斜計１０の傾斜角度が、通信部１４を介して定期的にサーバ２０に送信される。ユーザーは、端末装置３０を使用して、傾斜角度の検出結果をサーバ２０に問い合わせ、これに応じてサーバ２０から受け取った傾斜角度の検出結果を端末装置３０のディスプレイの画面に表示させることができる。
【００２２】
以上説明した実施形態によると、ボタンスイッチ１５が操作された際に、制御部１３が、検出器１１から伝達された現在の傾斜角度を基準の傾斜角度に設定する。制御部１３は、検出器１１で検出された傾斜角度と基準の傾斜角度との差が、ディップスイッチ１２で設定された閾値を超えた場合には、その旨を、通信部１４を介してサーバ２０に送信すると共に、ＬＥＤ１６を点灯させる。サーバ２０は、検出器１１で検出された傾斜角度と基準の傾斜角度との差が閾値を超えた旨を示すメールを端末装置３０に送信する。ユーザーはサーバ２０からのメール又はＬＥＤ１６の点灯を見て、傾斜計１０の傾斜角度が閾値を超えたことを認識する。よって、ユーザーが傾斜計１０を監視し続けて傾斜角度を確認しなくとも、対象物体の傾斜角度が所定の角度を超えたことを容易に認識しやすい。
【００２３】
また、サーバ２０から端末装置３０へのメールの送信及びＬＥＤ１６の点灯により、傾斜角度が所定の角度を超えたことについてユーザーに報知される。メールの送信によると、ユーザーが対象物体から離れていても対象物体の傾きが変化したことを認識しやすい。ＬＥＤは、長期間使用可能であり、かつ消費電力が少ないため、傾斜計による長期間の監視が想定される建築物等の物体への使用に適している。また、ＬＥＤ１６がボタンスイッチ１５に設けられているため、ユーザーにとってＬＥＤ１６の点灯位置が分かりやすい。
【００２４】
＜変形例＞
以上は、本考案の好適な実施形態についての説明であるが、本考案は上述の実施形態に限られるものではなく、課題を解決するための手段に記載された範囲の限りにおいて様々な変更が可能なものである。
【００２５】
例えば、上述の実施形態では、ＬＥＤ１６備えられており、発光ダイオードの点灯により傾斜角度が所定の角度を超えたことをユーザーに報知する。しかし、音によりユーザーに報知されてもよい。
【符号の説明】
【００２６】
１０  傾斜計
１１  検出器
１３  制御部
１５  ボタンスイッチ
１６  ＬＥＤ
【図１】
0003218336.tif 000003
【図２】
0003218336.tif 000004